(57)【要約】【課題】  聴取者が、デュアルモノ信号に係るモノ音声を、モノ再生モード時も、支障なく聞き取ることができるオーディオシステム１０を提供する。【解決手段】  デコーダ２４は、ＳＰＤＩＦからの入力信号がデュアルモノ信号であるか否かを検出する。デュアルモノ機能実行部２５は、ＳＰＤＩＦからの入力信号がデュアルモノ信号であれば、該デュアルモノ信号からＣｈ１及びＣｈ２のモノ音声信号を分離、抽出する。ダウンミックス部２６は、オーディオシステム１０が前左のスピーカ１２、前右のスピーカ１４及び前中央のスピーカ１３を含むものとして設定されている場合では、モノ音声信号を前左スピーカ１２及び前右スピーカ１４から出力する。【選択図】      図２
2007019651.tif 000002
【特許請求の範囲】
【請求項１】
入力音声信号がデュアルモノ信号であるか否かを検出するデュアルモノ信号検出手段、
オーディオシステムが前左のスピーカ、前右のスピーカ及び前中央のスピーカを含むものとして設定されている否かを検出するスピーカ設定検出手段、
デュアルモノ信号の再生についてユーザが指定した再生モードがモノ再生モードであるか否かを検出するモノ再生モード検出手段、及び
入力音声信号がデュアルモノ信号であり、オーディオシステムが前左のスピーカ、前右のスピーカ及び前中央のスピーカを含むものとして設定されており、かつモノ再生モードが指定されている場合は、デュアルモノ信号から抽出したモノ音声信号を前左及び前右のスピーカへ送出するモノ音声信号送出手段、
を有していることを特徴とするオーディオシステム。
【請求項２】
前記モノ音声信号送出手段は、入力音声信号がデュアルモノ信号であり、オーディオシステムが前左のスピーカ、前右のスピーカ及び前中央のスピーカを含むものとして設定されており、かつモノ再生モードが指定されている場合は、デュアルモノ信号から抽出したモノ音声信号を、前中央のスピーカへも送出するか、又は前中央のスピーカへは送出中止するものであることを特徴とする請求項１記載のオーディオシステム。
【請求項３】
前記モノ音声信号送出手段は、デュアルモノ信号から抽出したモノ音声信号を、前中央のスピーカへも送出するか、又は前中央のスピーカへは送出中止するかをユーザ指示に基づき選択することを特徴とする請求項２記載のオーディオシステム。
【請求項４】
前左及び前右のスピーカへ送出される音声信号を、後左及び後右のスピーカへも分配して送出する分配追加手段、
を有していることを特徴とする請求項１〜３のいずれかに記載のオーディオシステム。
【請求項５】
マルチチャンネル対応ソースから入力される音声信号が前中央のスピーカ用のものだけであるか否かを検出する音声信号検出手段、及び
マルチチャンネル対応ソースからの入力される音声信号が前中央のスピーカ用のものだけである場合、前中央のスピーカ用の音声信号を前左及び前右のスピーカへ送出する前記モノ音声信号送出手段、
を有していることを特徴とする請求項１〜４のいずれかに記載のオーディオシステム。
【請求項６】
入力音声信号がデュアルモノ信号であるか否かを判定するステップ、
オーディオシステムが前左のスピーカ、前右のスピーカ及び前中央のスピーカを含むものとして設定されている否かを判定するステップ、
デュアルモノ信号の再生についてユーザが指定した再生モードがモノ再生モードであるか否かを判定するステップ、及び
入力音声信号がデュアルモノ信号であり、オーディオシステムが前左のスピーカ、前右のスピーカ及び前中央のスピーカを含むものとして設定されており、かつモノ再生モードが指定されている場合は、デュアルモノ信号から抽出したモノ音声信号を前左及び前右のスピーカへ送出するステップ、
を有していることを特徴とするオーディオシステム制御方法。
【発明の詳細な説明】
【技術分野】
【０００１】
本発明は、デュアルモノに係る音声出力を改善するオーディオシステム及びオーディオシステム制御方法に関するものである。
【背景技術】
【０００２】
ＤＶＤのマルチチャンネル再生を可能にしているオーディオシステムはデュアルモノ機能を装備している。デュアルモノ機能は、デュアルモノの入力信号のみを処理対象としており、非デュアルモノの入力信号はデュアルモノ機能による処理を受けることはない。
【０００３】
図８はＤＶＤのマルチチャンネル再生を可能にしている従来のオーディオシステムのデュアルモノ機能による出力チャンネル構成（モノ音声信号の出力先のスピーカ）を示している。ユーザは、デュアルモノ信号に含まれるモノ音声の再生モードに関し、「ステレオ」、「チャンネル１モノ」、「チャンネル２モノ」及び「ミックスモノ」のどれかを選択するようになっている。再生モードの内、「ステレオ」はステレオ再生モードに分類され、「チャンネル１モノ」、「チャンネル２モノ」及び「ミックスモノ」はモノ再生モードに分類される。
【０００４】
「１／０」，「２／ｘ」，「３／ｘ」において、分子の数値は前（フロント）のスピーカ数を意味し、分母の数値は後ろ（リア）のスピーカ数を意味する。ｘは任意の数値を意味する。
【０００５】
スピーカが１個しかないオーディオシステムに対しては、「１／０」と設定される。スピーカが前の左右に１個ずつ配備されるオーディオシステムに対しては後ろのスピーカの有無に関係なく、「２／ｘ」と設定される。前左、前右及び前中央の計３個のスピーカが配備されるオーディオシステムに対しては、後ろのスピーカの有無に関係なく、「３／ｘ」と設定される。「１／０」，「２／ｘ」，「３／ｘ」は、典型的には、ユーザ自身がスピーカ構成がそれらのうちのどれに該当するものであるかをあらかじめ設定しておくようになっているが、自動車メーカが純正品のオーディオシステムについてそのどれかに設定していることもある。
【０００６】
図８では、デュアルモノ信号が含む２個の音声信号をそれぞれＣｈ１，Ｃｈ２と名付けている。一般的には、Ｃｈ１が主音声であり、Ｃｈ２が副音声である。図８の各升目（セル）において、Ｃｈ１又はＣｈ２が記載されているものは、それらが対応のスピーカ（Ｃｅｎｔｅｒ，Ｌｅｆｔ，Ｒｉｇｈｔ）から出力されることを意味し、「−」の記載されている升目は、対応のスピーカから音声の出力がないことを意味している。
【０００７】
「１／０」が設定されている場合には、ユーザからのステレオ、チャンネル１モノ、チャンネル２モノ及びミックスモノの再生モード指定に対して、前中央のスピーカ（Ｃｅｎｔｅｒ）へ、それぞれＣｈ１＋Ｃｈ２，Ｃｈ１，Ｃｈ２，Ｃｈ１＋Ｃｈ２が送られる。「２／ｘ」が設定されている場合には、ユーザからのステレオ、チャンネル１モノ、チャンネル２モノ及びミックスモノの再生モード指定に対して、前左のスピーカ（Ｌｅｆｔ）へそれぞれそれぞれＣｈ１，Ｃｈ１，Ｃｈ２，Ｃｈ１＋Ｃｈ２が送られ、前右のスピーカ（Ｒｉｇｈｔ）へそれぞれＣｈ２，Ｃｈ１，Ｃｈ２，Ｃｈ１＋Ｃｈ２が送られる。「３／ｘ」が設定されている場合には、ユーザからのステレオ、チャンネル１モノ、チャンネル２モノ及びミックスモノの再生モード指定に対して、前左のスピーカ（Ｌｅｆｔ）用の出力端子へそれぞれＣｈ１，−，−，−が送られ、前中央のスピーカ（Ｃｅｎｔｅｒ）用の出力端子へそれぞれ−，Ｃｈ１，Ｃｈ２，Ｃｈ１＋Ｃｈ２が送られ、前右のスピーカ（Ｒｉｇｈｔ）用の出力端子へそれぞれＣｈ２，−，−，−が送られる。
【０００８】
一方、特許文献１は、受信信号に副音声信号や独立音声信号が含まれる場合に、副音声の出力を中止したり、副音声を出力するスピーカから副音声の代わりに主音声を出力したりして（特許文献１の図１４に対する図１及び図５）、これにより、主音声（例えば日本語）と副音声（例えば外国語）との同時出力を防止している（特許文献１の００３４，００９１〜００９５）。
【特許文献１】特開平７−１６２３８４号公報
【発明の開示】
【発明が解決しようとする課題】
【０００９】
従来のオーディオシステムでは、「３／ｘ」が設定され、ユーザがモノ再生モードを指定しているならば、モノ音声信号は、前中央のスピーカから出力される。このため、聴取者が前中央のスピーカから遠かったり、騒音が存在したりする聴取環境下では、聴取者は、前中央のスピーカからのモノ音声が非常に聞き取り難くなることがある。例えば、前中央スピーカ付きオーディオシステムが自動車に搭載される場合、前中央のスピーカは、通常、ダッシュパネル中央に配置されるため、前から二列目や三列目の乗員は、前中央のスピーカからだいぶ、離れた位置になる。また、自動車の車室内では、ロードノイズ等、大きい騒音が存在する。
【００１０】
一方、ＣＤの再生では、デュアルモノ信号を含む再生信号が存在しないとともに、ＣＤのモノ音声は、前中央のスピーカから出力されることはなく、前左のスピーカ及び前右のスピーカの両方から出力されるようになっている。したがって、ユーザは、ＣＤのモノ音声とＤＶＤのモノ音声とで出力スピーカが異なることに対し、違和感をもつ。
【００１１】
特許文献１は、主音声と副音声又は独立音声との同時出力に因るユーザの聴取混乱防止のために、主音声のみを出力し、副音声及び独立音声は出力中止することを開示するのみである。特許文献１は、３／ｘ等のスピーカ設定のために、デュアルモノ信号に係るモノ音声が前中央のスピーカから単独出力することになる場合に、前中央のスピーカから遠く離れている聴取者が主音声や副音声のモノ音声を支障なく聞き取らせる解決手段についてなんらの示唆を与えていない。
【００１２】
本発明の目的は、聴取者が、デュアルモノ信号に係るモノ音声を、モノ再生モード時も、支障なく聞き取ることができるオーディオシステム及びオーディオシステム制御方法を提供することである。
【課題を解決するための手段】
【００１３】
本発明のオーディオシステムは次のものを有している。
入力音声信号がデュアルモノ信号であるか否かを検出するデュアルモノ信号検出手段、
オーディオシステムが前左のスピーカ、前右のスピーカ及び前中央のスピーカを含むものとして設定されている否かを検出するスピーカ設定検出手段、
デュアルモノ信号の再生についてユーザが指定した再生モードがモノ再生モードであるか否かを検出するモノ再生モード検出手段、及び
入力音声信号がデュアルモノ信号であり、オーディオシステムが前左のスピーカ、前右のスピーカ及び前中央のスピーカを含むものとして設定されており、かつモノ再生モードが指定されている場合は、デュアルモノ信号から抽出したモノ音声信号を前左及び前右のスピーカへ送出するモノ音声信号送出手段。
【００１４】
本発明のオーディオシステム制御方法は次のステップを有している。
入力音声信号がデュアルモノ信号であるか否かを判定するステップ、
オーディオシステムが前左のスピーカ、前右のスピーカ及び前中央のスピーカを含むものとして設定されている否かを判定するステップ、
デュアルモノ信号の再生についてユーザが指定した再生モードがモノ再生モードであるか否かを判定するステップ、及び
入力音声信号がデュアルモノ信号であり、オーディオシステムが前左のスピーカ、前右のスピーカ及び前中央のスピーカを含むものとして設定されており、かつモノ再生モードが指定されている場合は、デュアルモノ信号から抽出したモノ音声信号を前左及び前右のスピーカへ送出するステップ。
【発明の効果】
【００１５】
本発明によれば、デュアルモノ信号に係るモノ音声を、モノ再生モード時に、前左及び前右のスピーカから出力することになるので、騒音が存在していたり、聴取位置が前中央のスピーカから遠かったりする聴取環境下においても、聴取者はデュアルモノ信号に係るモノ音声を適切に聞き取ることができる。
【発明を実施するための最良の形態】
【００１６】
図１はオーディオシステム１０の概略構成図である。オーディオシステム１０は、オーディオ装置本体１１、前左スピーカ１２、前中央のスピーカ１３、前右スピーカ１４、後左スピーカ１５及び後右スピーカ１６を有している。オーディオシステム１０は、さらに、サブウーハー（図示せず）を装備していてもよい。前左スピーカ１２、前中央のスピーカ１３、前右スピーカ１４、後左スピーカ１５及び後右スピーカ１６は、予定される聴取者位置１９に対して、それぞれ前左、前中央、前右、後左及び後右の相対位置になるように配置される。
【００１７】
オーディオシステム１０が、建物の室内ではなく、乗用車の車室内に配置される場合、典型的な自動車では、前左スピーカ１２及び前右スピーカ１４は、運転席の左右のドアに配備される。前中央のスピーカ１３は、ダッシュボードの左右方向ほぼ中央に配備され、後左スピーカ１５及び後右スピーカ１６は、最後席の後方に配備される。
【００１８】
図２はオーディオ装置本体１１（図１）の主要部構成図である。オーディオ装置本体１１は、デコーダ２４、デュアルモノ機能実行部２５、ダウンミックス部２６及びスピーカ用出力端子２８ａ〜ｆを有している。従来のオーディオ装置本体は、デコーダ２４、デュアルモノ機能実行部２５及びスピーカ用出力端子２８ａ〜ｆは有するものの、ダウンミックス部２６は有していなかった。スピーカ用出力端子２８ａは前左スピーカ１２へケーブルを介して接続され、スピーカ用出力端子２８ｂは前右スピーカ１４へケーブルを介して接続され、スピーカ用出力端子２８ｃは後左スピーカ１５へケーブルを介して接続され、スピーカ用出力端子２８ｄは後右スピーカ１６へケーブルを介して接続され、スピーカ用出力端子２８ｅは前中央のスピーカ１３へケーブルを介して接続され、スピーカ用出力端子２８ｆはサブウーハー（図示せず）へケーブルを介して接続される。各スピーカ用出力端子２８ａ〜ｆに対して対応のスピーカがオーディオシステム１０に装備されていない場合、該スピーカ用出力端子にはケーブルが未接続となる。
【００１９】
デコーダ２４は、ＳＰＤＩＦ（Sony Philips Digital Interface）よりＡＣ３（Audio Code number 3）やＤＴＳ（Digital Theater Systems）等のエンコードデータのビットストリームを供給される。該ビットストリームには、音声データの他に、ビットストリーム情報が含まれており、デコーダ２４は、ビットストリームから抽出したビットストリーム情報のオーディオコーディングモードを参照することにより、ＳＰＤＩＦからの入力信号がデュアルモノ信号であるか否かを判別することができる。
【００２０】
デュアルモノ機能実行部２５は、ＳＰＤＩＦからの入力信号がデュアルモノ信号である場合のみ、該デュアルモノ信号に対して所定の処理を行い、デュアルモノ信号でなければ、デコーダ２４からの入力信号に対して何の処理もせずに、そのまま通過させて、ダウンミックス部２６へ送る。デュアルモノ機能実行部２５は、ＳＰＤＩＦからの入力信号がデュアルモノ信号であれば、該デュアルモノ信号からＣｈ１及びＣｈ２（前述したように、Ｃｈ１、Ｃｈ２は、デュアルモノ信号に含まれる２個のモノ音声信号についての説明便宜上の名前とする。）のモノ音声信号を分離、抽出し、Ｃｈ１及びＣｈ２を、３／ｘ等のスピーカ設定とユーザの指定した再生モードとに基づき、前述の図８のように、各スピーカへ分配する。
【００２１】
ダウンミックス部２６は、ＳＰＤＩＦからの入力信号がデュアルモノ信号でありかつスピーカ設定が「３／ｘ」となっている場合には、３／ｘにおけるモノ音声信号の出力スピーカを図８のものから図３のものへ変更する。ダウンミックス部２６は、スピーカ設定が「３／ｘ」となっているか否かを、例えばマイコン（図示せず）からの制御信号に検出する。
【００２２】
図３はダウンミックス部２６装備のオーディオシステム１０における出力チャンネル構成を示している。図３並びに後述の図４及び図６における用語及び見方は従来技術に係る図８において説明したとおりである。図８の内容に対する図３の内容の相違点は、スピーカ設定が「３／ｘ」である場合には、各モノ再生モード（チャンネル１モノ、チャンネル２モノ及びミックスモノ）に対し、モノ音声信号の出力スピーカを、スピーカ設定が「２／ｘ」である場合のものと同一にし、前中央のスピーカ（Ｃｅｎｔｅｒ）はモノ音声信号の出力スピーカから除外していることである。
【００２３】
これにより、オーディオシステム１０では、スピーカ設定が「３／ｘ」である場合、Ｃｈ１及び／又はＣｈ２のモノ音声は、前中央のスピーカ１３からではなく、前左スピーカ１２及び前右スピーカ１４から出力される。結果、建物や自動車の室内の聴取者は、デュアルモノ信号に係るモノ音声を、十分に近いスピーカから聴取することになり、ロードノイズ等の騒音の存在にもかかわらず、モノ音声を聞き取り易くなる。
【００２４】
図４は図３に対してモノ音声信号の出力スピーカを一部変更したものである。ダウンミックス部２６は、デュアルモノ機能実行部２５からのモノ音声の出力スピーカを、図３のものから図４のものへ変更する。図３の内容に対する図４の内容の相違点は、スピーカ設定が「３／ｘ」である場合には、各モノ再生モード（チャンネル１モノ、チャンネル２モノ及びミックスモノ）に対し、Ｃｈ１及び／又はＣｈ２のモノ音声の出力スピーカに、図３のもののほか、前中央のスピーカ１３も含めていることである。結果、図４の出力スピーカは図３の出力スピーカ＋図８の出力スピーカとなる。
【００２５】
図５は分配追加部３０を追加装備したオーディオ装置本体１１の主要部構成図である。分配追加部３０は、ダウンミックス部２６とスピーカ用出力端子２８ａ〜ｆとの間に介在する。分配追加部３０は、車載型のオーディオシステム１０に装備されることが多い。分配追加部３０は、ダウンミックス部２６からスピーカ用出力端子２８ａ及びスピーカ用出力端子２８ｂ用に送られて来る音声信号をそれぞれスピーカ用出力端子２８ｃ及びスピーカ用出力端子２８ｄへも分配、送出するようにしている。したがって、図３又は図４における「２／ｘ」及び「３／ｘ」において、列名が左（Ｌｅｆｔ）となっている列に属するＣｈ１及び／又はＣｈ２は、前左スピーカ１２と共に後左スピーカ１５へも送られ、列名が右（Ｒｉｇｈｔ）となっている列に属するＣｈ１及び／又はＣｈ２は前右スピーカ１４と共に後右スピーカ１６へも送られる。
【００２６】
ここまでの説明では、ダウンミックス部２６におけるダウンミックス処理は、ＳＰＤＩＦからの入力音声信号がデュアルモノ信号であって、モノ再生モードが指定されている場合に限り、実施されることになっている。ダウンミックス機能は、ソースからの入力音声信号が前中央のスピーカ１３用のもののみである場合にも、作動させることができる。
【００２７】
ソースからの入力音声信号が前中央のスピーカ１３用のもののみであるか否かは、ソースからの入力音声信号が１／０（図３、図４及び図８におけるスピーカ設定のパラメータ１／０とは意味がまったく異なる。）信号か否かから検出できる。１／０信号であるか否かは、ビートストリーム情報のオーディオコーディングモードを参照して、調べることができる。１／０とは、例えば、ＤＶＤのドルビー情報や地上波デジタル放送では、デュアルモノ信号を意味し、通常テレビ放送では音声多重放送を意味し、ＡＭ放送ではモノ信号を意味する。
【００２８】
ダウンミックス部２６は、ソースからの入力音声信号が１／０信号である場合、１／０信号としての音声信号を前左スピーカ１２及び前右スピーカ１４へ送出する。これにより、聴取者は、デュアルモノ信号のモノ音声だけでなく、通常テレビ放送における音声多重放送の前中央スピーカ用音声、ＡＭ放送におけるモノ音声を、前左スピーカ１２及び前右スピーカ１４から聞くことができる。さらに、図５のように、オーディオ装置本体１１に分配追加部３０を装備するオーディオシステム１０では、それら音声は、後左スピーカ１５及び後右スピーカ１６からも聞くことができる。
【００２９】
図６はオーディオシステム４０の機能ブロック図である。オーディオシステム４０は、デュアルモノ信号検出手段４１、スピーカ設定検出手段４２、モノ再生モード検出手段４３、モノ音声信号送出手段４４、分配追加手段４６及び音声信号検出手段４７を有している。分配追加手段４６及び音声信号検出手段４７の装備は任意である。
【００３０】
オーディオシステム４０は、例えば、建築物の室内や、自動車の車室内に配備される。前述のオーディオシステム１０（図１）はオーディオシステム４０の一例である。オーディオ装置本体１１のデコーダ２４はオーディオシステム４０のデュアルモノ信号検出手段４１、スピーカ設定検出手段４２及びモノ再生モード検出手段４３の一例である。オーディオ装置本体１１のデュアルモノ機能実行部２５及びダウンミックス部２６はオーディオシステム４０のモノ音声信号送出手段４４の一例である。オーディオ装置本体１１の分配追加部３０（図５）は分配追加手段４６の一例である。
【００３１】
デュアルモノ信号検出手段４１は、入力音声信号がデュアルモノ信号であるか否かを検出する。スピーカ設定検出手段４２は、オーディオシステムが前左のスピーカ、前右のスピーカ及び前中央のスピーカを含むものとして設定されている否かを検出する。
【００３２】
モノ再生モード検出手段４３は、デュアルモノ信号の再生についてユーザが指定した再生モードがモノ再生モードであるか否かを検出する。モノ音声信号送出手段４４は、入力音声信号がデュアルモノ信号であり、オーディオシステムが前左のスピーカ、前右のスピーカ及び前中央のスピーカを含むものとして設定されており、かつモノ再生モードが指定されている場合は、デュアルモノ信号から抽出したモノ音声信号を前左及び前右のスピーカへ送出する。
【００３３】
デュアルモノ信号のソースは例えばＤＶＤである。オーディオシステム４０が前左のスピーカ、前右のスピーカ及び前中央のスピーカを含むものとしての設定は、例えばユーザ（聴取者）が自己のオーディオシステム４０の使用に先立ち、自ら行なう。オーディオシステム４０が、車載型で、かつ自動車に購入当初から装備される場合には、オーディオシステム４０が前左のスピーカ、前右のスピーカ及び前中央のスピーカを含むものとしての設定は、自動車メーカが行なうこともある。
【００３４】
デュアルモノに対するモノ再生モードとは、例えば、チャンネル１モノ、チャンネル２モノ又はミックスモノであるが、これに限定されない。
【００３５】
前左及び前右のスピーカは、一般的に、前中央のスピーカに比して、（特にオーディオシステム４０が自動車に搭載されている場合）聴取者に近い場所にある。また、前左及び前右のスピーカは、一般的に、前中央のスピーカより音質特性が優れている。結果、聴取者は、モノ音声を明確かつ高品質で適切に聴取することができる。
【００３６】
好ましくは、モノ音声信号送出手段４４は、入力音声信号がデュアルモノ信号であり、オーディオシステム４０が前左のスピーカ、前右のスピーカ及び前中央のスピーカを含むものとして設定されており、かつモノ再生モードが指定されている場合は、デュアルモノ信号から抽出したモノ音声信号を、（ａ）前中央のスピーカへも送出するか、又は（ｂ）前中央のスピーカへは送出中止するものである。
【００３７】
（ａ）に対応するモノ音声信号の出力スピーカ例は前述の図４に示されている。（ｂ）に対応するモノ音声信号の出力スピーカ例は前述の図３に示されている。典型的には、モノ音声信号送出手段４４は、（ａ）及び（ｂ）のいずれを選択するかをユーザ指示に基づき選択する。該ユーザ指示は、３／ｘ等のスピーカ設定と同様に、デュアルモノ信号の入力開始に先立ち、あらかじめ行われてもよいし、デュアルモノ信号の入力開始のつど、行われてもよいとする。
【００３８】
オーディオシステム４０は分配追加手段４６を有することもできる。分配追加手段４６は、前左及び前右のスピーカへ送出される音声信号を、後左及び後右のスピーカへも分配して送出する。
【００３９】
特に、オーディオシステム４０が自動車に搭載されている場合には、最後列の乗員は、前左及び前右のスピーカから遠くなり、前左及び前右のスピーカからモノ音声が出力されていても、ロードノイズ等のために、聞き取り難くなる。デュアルモノに係るモノ音声が、モノ再生モード時に、後左及び後右のスピーカから出力されることにより、この聞き取り難さを解消することができる。
【００４０】
オーディオシステム４０は、マルチチャンネル対応ソースから入力される音声信号が前中央のスピーカ用のものだけである場合にも、所定の処理を実行してもよい。すなわち、オーディオシステム４０は、さらに、音声信号検出手段４７を装備する。音声信号検出手段４７は、マルチチャンネル対応ソースから入力される音声信号が前中央のスピーカ用のものだけであるか否かを検出する。モノ音声信号送出手段４４は、マルチチャンネル対応ソースからの入力される音声信号が前中央のスピーカ用のものだけである場合、前中央のスピーカ用の音声信号を前左及び前右のスピーカへ送出する。
【００４１】
こうして、本来は、前中央スピーカから単独出力される音声が、前左及び前右のスピーカから出力されることにより、聴取者の聞き取り難さを解消することができる。なお、音声信号検出手段４７と、音声信号検出手段４７による検出に対して、対応の処理（前中央のスピーカ用の音声信号を前左及び前右のスピーカへ送出）を行うモノ音声信号送出手段４４とを、デュアルモノ信号検出手段４１、スピーカ設定検出手段４２及びモノ再生モード検出手段４３とは独立に装備するオーディオシステムを構築することも可能である。
【００４２】
なお、オーディオシステム４０は、マルチチャンネル対応ソースからの入力される音声信号が前中央のスピーカ用のものだけであるために、前中央のスピーカ用の音声信号を前左及び前右のスピーカへ送出している期間に、該音声信号を、（ｃ）本来の前中央のスピーカへ送出してもよいし、また、（ｄ）本来の前中央のスピーカ用の出力端子への送出を中止してもよいとする。また、好ましくは、オーディオシステム４０が（ｃ）及び（ｄ）のいずれを選択すべきかは、ユーザが適宜指示できるようになっている。
【００４３】
図７はオーディオシステム制御方法５０のフローチャートである。オーディオシステム制御方法５０はＳ５１、Ｓ５２、Ｓ５３、Ｓ５４を有している。Ｓ５１，Ｓ５２，Ｓ５３の順番は、図７のものに限定されず、任意でよい。
【００４４】
Ｓ５１では、入力音声信号がデュアルモノ信号であるか否かを判定し、判定結果が正であれば、Ｓ５２へ進み、否であれば、オーディオシステム制御方法５０を終了する。
【００４５】
Ｓ５２では、オーディオシステム４０が前左のスピーカ、前右のスピーカ及び前中央のスピーカを含むものとして設定されている否かを判定し、判定結果が正であれば、Ｓ５３へ進み、否であれば、オーディオシステム制御方法５０を終了する。
【００４６】
Ｓ５３では、デュアルモノ信号の再生についてユーザが指定した再生モードがモノ再生モードであるか否かを判定し、判定結果が正であれば、Ｓ５４へ進み、否であれば、オーディオシステム制御方法５０を終了する。
【００４７】
Ｓ５４では、デュアルモノ信号から抽出したモノ音声信号を前左及び前右のスピーカへ送出する。
【００４８】
Ｓ５４では、例えば、デュアルモノ信号から抽出したモノ音声信号を、（ａ）前中央のスピーカ用の出力端子へも送出してもよいし、（ｂ）前中央のスピーカ用の出力端子へは送出中止してもよいとする。この場合、（ａ）及び（ｂ）のどちらを選択するかをユーザが指示可能にすることが好ましい。
【００４９】
オーディオシステム制御方法５０では、次の第１のステップをＳ５４の後ろに追加することが可能である。該第１のステップでは、前左及び前右のスピーカへ送出される音声信号を、後左及び後右のスピーカへも分配して送出する。
【００５０】
次の第２及び第３のステップは、オーディオシステム制御方法５０におけるＳ５１の前に追加することができる。すなわち、第２のステップでは、マルチチャンネル対応ソースから入力される音声信号が前中央のスピーカ用のものだけであるか否かを判定し、判定が正であれば、第３のステップへ進み、否であれば、オーディオシステム制御方法５０を終了する。第３のステップでは、前中央のスピーカ用の音声信号を前左及び前右のスピーカへ送出する。
【００５１】
第２及び第３のステップは、オーディオシステム制御方法５０とは別の独立のオーディオシステム制御方法として実施することもできる。第２及び第３のステップをオーディオシステム制御方法５０にＳ５１の前に組み込む場合、第２のステップにおける判定が否であるときは、オーディオシステム制御方法５０を終了せずに、Ｓ５１へ進むようにしてもよい。
【００５２】
本発明を最良の形態について説明したが、本発明は、これに限定されず、要旨の範囲内で種々の形態により実施可能であることは言うまでもない。
【図面の簡単な説明】
【００５３】
【図１】出力チャンネル構成の概略構成図である。
【図２】オーディオ装置本体の主要部構成図である。
【図３】ダウンミックス部により出力スピーカを変更された後の各モノ音声信号の出力スピーカを示す図である。
【図４】図３に対してモノ音声信号の出力スピーカ用出力端子を一部変更したものである。
【図５】分配追加部を追加装備したオーディオ装置本体の主要部構成図である。
【図６】オーディオシステムの機能ブロック図である。
【図７】オーディオシステム制御方法のフローチャートである。
【図８】ＤＶＤのマルチチャンネル再生を可能にしている従来のオーディオシステムのデュアルモノ機能によるモノ音声信号の出力先のスピーカを示す図である。
【符号の説明】
【００５４】
４０：オーディオシステム、４１：デュアルモノ信号検出手段、４２：出力先指定検出手段、４３：モノ再生モード検出手段、４４：声信号送出手段、４６：分配追加手段、５０：オーディオシステム制御方法。
【図１】
2007019651.tif 000003
【図２】
2007019651.tif 000004
【図３】
2007019651.tif 000005
【図４】
2007019651.tif 000006
【図５】
2007019651.tif 000007
【図６】
2007019651.tif 000008
【図７】
2007019651.tif 000009
【図８】
2007019651.tif 000010